(57)【要約】【課題】  荷物を風雨や埃等の外部雰囲気から保護するカバーを非常に簡易にかつ迅速に取り外すと共に、荷崩れによる荷物の落下を防止する。【解決手段】  防護材１０は、ロールボックス４及び荷物６を外側から囲むことができる大きさを有するフレーム１２と、このフレーム１２に対して開閉自在に設置される蓋１４と、フレーム１２に支持される可撓性を有するカバー１６とを備えている。防護材１０は、蓋１４を閉じた状態で荷物６の上方に配置されて、カバー１６をフレーム１２から落下させることにより垂れ下げて荷物６を防護する。一方、フレーム１２は、蓋を開けた状態とすると荷物６及びロールボックス４の外側を自然落下して荷物６を露出させる。カバー１６の下端には、カバー１６のフレーム１２からの落下を補助する重り２０が取り付けられている。フレーム１２の外面は、ロールボックス４の車輪１が通過することができる。外面を有している。【選択図】        図２
2005212891.tif 000002
【特許請求の範囲】
【請求項１】
被防護物を外側から囲むことができる大きさを有するフレームと前記フレームに対して開閉自在に設置される蓋と前記フレームに支持される可撓性を有するカバーとを備え、前記蓋を閉じた状態で前記被防護物の上方に配置して前記カバーを前記フレームから落下させることにより垂れ下げて前記被防護物を防護する防護材であって、前記カバーの下端に取り付けられ前記カバーの前記フレームからの落下を補助する重り部材を更に備え、前記フレームは前記蓋を開けた状態とすると前記被防護物の外側を自然落下して前記被防護物を露出させることを特徴とする防護材。
【請求項２】
請求項１に記載された防護材であって、前記重り部材は、前記被防護物を外側から囲むことができる大きさを有し、前記被防護物の外側を落下することを特徴とする防護材。
【請求項３】
請求項１又は請求項２のいずれかに記載された防護材であって、前記蓋、前記フレーム、前記カバー、前記重り部材のうちの全部又は任意の組合せを、重ね合わせた状態又は連結した状態に保持する留め具を備えていることを特徴とする防護材。
【請求項４】
請求項１乃至請求項３のいずれかに記載された防護材であって、少なくとも前記フレーム又は前記フレームと前記重り部材の双方は、前記被防護物を搬送する搬送具の車輪が通過することができる外面を有することを特徴とする防護材。
【請求項５】
請求項１乃至請求項４のいずれか記載された防護材であって、前記カバーの垂れ下がりの長さを調整することができる長さ調整部材を更に備えていることを特徴とする防護材。
【請求項６】
請求項１乃至請求項５のいずれかに記載された防護材であって、前記カバーは、周方向に形成された折り目を有することを特徴とする防護材。
【請求項７】
請求項１乃至請求項６のいずれかに記載された防護材であって、持ち手を有していることを特徴とする防護材。
【請求項８】
請求項１乃至請求項７のいずれかに記載された防護材であって、網又は壁面に取り付けられた部材に引っ掛けることができるフックを備えていることを特徴とする防護材。
【発明の詳細な説明】
【技術分野】
【０００１】
本発明は、例えば、台車やパレット、また、ロールボックス等に載置された荷物等の被防護物を被覆して、雨や埃等の外部雰囲気から防護する防護材の改良に関し、特に、容易に設置、取り外しをすることができる防護材に関するものである。
【背景技術】
【０００２】
流通過程における荷物の集配所等においては、車輪を有するパレットや、またこのパレットの周囲を網で囲んだロールボックス等に一時的に荷物を保管して、配送者の処理を待つことが多い。この場合、これらのパレットやロールボックスは屋外に設置されることが多く、風雨等の悪天候時や粉塵等の埃等に曝されると荷物が汚れたり、場合によっては、破損等するおそれがあるため、何らかの方法で荷物を保護することが必要となる。
【０００３】
また、このような集配所のみならず、配送の現場においても、車輪を有する台車によって、荷物を搬送することが多く、この場合にも、同様に、風雨等の外部環境から荷物を保護する必要性があった。
【０００４】
このための手段として、例えば、ロールボックスの全周囲をカバー等で被覆することが提案されている（例えば、特許文献１参照）。しかし、この従来技術では、作業者が、カバーをロールボックスの周囲に沿って下方に引きずり落として布設する必要があり、設置に手間が掛かる問題があった。
【０００５】
この問題点については、例えば、ロールボックス等の上方に支持された支持部材から、可撓性を有するカバーを単に自然落下により垂れ下げることにより、簡単に解消することができる（例えば、特許文献２〜特許文献４参照）。
【０００６】
しかし、可撓性を有する比較的柔軟な保護カバーを単に上方から垂れ下げるだけでは、（１）例えば、カバーが落下の最中にロールボックスの網や、荷物の角等に途中で引っ掛かる等して下方まで確実に覆うことができないおそれがあり、この場合には、上記従来技術と同様に、作業者がカバーを下方まで引きずり降ろす作業が必要となると共に、（２）強風等によりカバーがめくれて保護機能を果たせず、内部の荷物が汚れる危険性も高かった。
【０００７】
のみならず、（３）外形が網で規定されているロールボックスであればともかく、単に荷物を積載するだけのパレットに適用した場合には、単に、カバーを下げるだけでは、荷崩れを起こした場合にパレットからの荷物の落下を簡単に許容してしまい、積み直しや荷物の破損、汚れ等を招来する危険性があった。特に、台車の場合には配送者が台車  を走行させるため、台車上に積載した荷物が荷崩れを起こすことが多く、この点への配慮が非常に望まれていた。
【０００８】
加えて、上記のいずれの従来技術においても、例えば、内部の荷物をトラックに積載等するためにカバーの取り外すためには、カバーをめくり上げて上方に持ち上げて取り外す必要があり、非常に面倒であると共に、迅速に対応することができない問題点を有してた。また、荷物の取り出しのためだけではなく、特に、車輪を有するパレットやロールボックスを移動させるために、カバーを除去する際にも、充分に簡単かつ迅速に対応でき、また、取り外したカバーがロールボックス等の移動の支障とならないように配慮することが望まれる。
【特許文献１】特開２００１−２７０５５２号公報
【特許文献２】特開２０００−３２８７９０号公報
【特許文献３】実開平５−９５８３０号公報
【特許文献４】特開平６−２８６５１９号公報
【発明の開示】
【発明が解決しようとする課題】
【０００９】
本発明が解決しようとする課題は、上記の問題点に鑑み、取扱いが容易な防護材、即ち、可撓性を有するカバーを荷物等の被防護物に簡易にかつ確実に被せて被防護物を適切に保護することができるだけではなく、取り外しも簡易迅速かつ円滑に行うことができると共に、荷崩れの抑制にも資することができる防護材を提供することにある。
【課題を解決するための手段】
【００１０】
本発明は、上記の課題を解決するための第１の手段として、被防護物を外側から囲むことができる大きさを有するフレームとこのフレームに対して開閉自在に設置される蓋とフレームに支持される可撓性を有するカバーとを備え、蓋を閉じた状態で被防護物の上方に配置してカバーをフレームから落下させることにより垂れ下げて被防護物を防護する防護材であって、このカバーの下端に取り付けられカバーのフレームからの落下を補助する重り部材を更に備え、フレームは蓋を開けた状態とすると被防護物の外側を自然落下して被防護物を露出させることを特徴とする防護材を提供するものである。
【００１１】
本発明は、上記の課題を解決するための第２の手段として、上記第１の解決手段において、重り部材は、被防護物を外側から囲むことができる大きさを有し、被防護物の外側を落下することを特徴とする防護材を提供するものである。
【００１２】
本発明は、上記の課題を解決するための第３の手段として、上記第１又は第２のいずれかの解決手段において、蓋、フレーム、カバー、重り部材のうちの全部又は任意の組合せを、重ね合わせた状態又は連結した状態に保持する留め具を備えていることを特徴とする防護材を提供するものである。
【００１３】
本発明は、上記の課題を解決するための第４の手段として、上記第１乃至第３のいずれかの解決手段において、少なくともフレーム又はフレームと重り部材の双方は、被防護物を搬送する搬送具の車輪が通過することができる外面を有することを特徴とする防護材を提供するものである。
【００１４】
本発明は、上記の課題を解決するための第５の手段として、上記第１乃至第４のいずれかの解決手段において、カバーの垂れ下がりの長さを調整することができる長さ調整部材を更に備えていることを特徴とする防護材を提供するものである。
【００１５】
本発明は、上記の課題を解決するための第６の手段として、上記第１乃至第５のいずれかの解決手段において、カバーは、周方向に形成された折り目を有することを特徴とする防護材を提供するものである。
【００１６】
本発明は、上記の課題を解決するための第７の手段として、上記第１乃至第６のいずれかの解決手段において、持ち手を有していることを特徴とする防護材を提供するものである。
【００１７】
本発明は、上記の課題を解決するための第８の手段として、上記第１乃至第７のいずれかの解決手段において、網又は壁面に取り付けられた部材に引っ掛けることができるフックを備えていることを特徴とする防護材を提供するものである。
【発明の効果】
【００１８】
本発明によれば、上記のように、カバーの落下を重り部材により補助しているため、蓋を、閉じた状態で荷物等の被防護物の上に設置するだけでカバーが確実に吊り下がり荷物を簡易に保護することができる一方、カバーをたくし上げたりすることなく単に蓋を開けるだけでフレームが被防護物の外側を落下しカバーを取り外すことができるため、非常に簡易に内部の荷物等を露出させて取り出すことができる実益がある。
【００１９】
この場合、同時に、本発明によれば、カバー設置後においても、重り部材がカバーのめくれを抑制するため、内部の荷物を確実に保護することができると共に、重り部材に引っ張られて可撓性を有するカバーの外形が規定されるため、荷崩れを抑制して荷物がパレットや台車等から落下することがない実益がある。
【００２０】
また、本発明によれば、上記のように、被防護物を外側から囲むことができる大きさの重り部材としているため、カバーのめくれ防止及び荷崩れの抑制をより一層効果的に達成することができる実益がある。
【００２１】
本発明によれば、上記のように、蓋、フレーム、カバー、重り部材の全部又は一部を重ね合わせた状態又は連結した状態に保持する留め具を備えているため、防護材を被防護物に被せる際に一体としてまとめて被防護材の上方に設置することが容易である一方と重り部材のみを留め具から開放するだけでカバーを簡易に垂れ下げることができると共に、その他の運搬や保管も容易となり、また、コンパクトに畳んだ状態を保持することができるため、保管に際しても省スペース化を図ることもできる実益がある。
【００２２】
本発明によれば、上記のように、フレームや重り部材に、被防護物を搬送する搬送具の車輪が通過することができる外面を形成しているため、取り外しのために、フレームを落下させた後、ロールボックスやパレットの周囲に位置するフレームの外面上を、パレット等の車輪を転回させながら通過させることにより、パレット等をフレームの外側へ簡易に移動させることができると共に、これにより、防護材を簡易に取り外すことができる実益がある。
【００２３】
本発明によれば、上記のように、カバーの垂れ下がりの長さを調整することができる長さ調整部材を更に備えているため、荷物やロールボックス等の高さに柔軟に対応して、荷物を適切に保護することができる実益がある。
【００２４】
本発明によれば、上記のように、カバーの周方向に折り目を形成しているため、防護材の収納や次の設置のための準備等をする際に、折り目に沿ってカバーを簡易に折り畳むことができると同時に、大きな保管スペースを要しない実益がある。
【００２５】
本発明によれば、上記のように、持ち手を備えているため、設置や保管、また、袋等への収納等のために、防護材を容易に運搬することができる実益がある。
【００２６】
本発明によれば、上記のように、網や壁面等に引っ掛けることができるフックを備えているため、ロールボックスの網や壁等に簡易に引っ掛けて保管することができる実益がある。
【発明を実施するための最良の形態】
【００２７】
本発明の実施の形態について図面を参照しながら詳細に説明すると、図１、図２及び図５は、本発明の防護材１０を示し、この防護材１０は、例えば、図１及び図２に示すように車輪１を有するパレット２の周囲を網３で囲んだロールボックス４や、図５に示すように車輪１を有する台車５等に積載された荷物６等の被防護物を覆って、この荷物６を風雨や埃等の外部環境から防護するものである。
【００２８】
この防護材１０は、図１及び図２に示すように、フレーム１２と、このフレーム１２に対して開閉自在に設置された蓋１４と、フレーム１０に支持される可撓性を有するカバー１６とを備えている。
【００２９】
フレーム１２は、図１及び図２に示す実施の形態では、ロールボックス４の形状に合わせて正方形状に形成されている。もっとも、フレーム１２の形状には、特に限定はなく、必要に応じて、例えば、長方形や円形、楕円形、また、三角形等の任意の形状とすることができる。但し、フレーム１２は、いずれの形状であっても、ロールボックス４や荷物６等の被防護物を外側から囲むことができる大きさに形成することが必要である。従って、フレーム１２は、ロールボックス４や荷物６等の被防護物を囲みながら、その外側を上下に移動することができる。
【００３０】
また、このフレーム１２は、カバー１６を垂れ下げても塑性変形したり破壊しない程度の強度や剛性を有するプラスチックやまた、紙製の芯材が封入された綿、ポリエステル布等から形成することができる。一般に、これらのプラスチック等であれば、充分な軽量を有しつつ同時にある程度の強度も有するため、材料として望ましいが、カバー１６の垂れ下げにより塑性変形や破壊等しなければ、特に材料の限定はなく、他に例えば、比較的軽量なアルミニウム等の金属材料から形成することができる。
【００３１】
蓋１４は、図１に示すように、ロールボックス４や荷物６等の被防護材の上に載置されて、上方より被防護材を外部雰囲気から防護するものである。この場合、蓋１４も、被防護物を外側から囲む大きさを有するフレーム１２の蓋として機能するものであるため、同様に、被防護物を外側から囲む大きさに形成される。従って、図１に示す実施の形態のように、防護材１０をロールボックス４に適用して、ロールボックス４ごと覆う場合であれば、図１（Ｂ）〜（Ｄ）に示すように、カバー１６を垂れ下げてロールボックス４や荷物６を覆っている状態では、この蓋１４が、ロールボックス４の上面に係合して、フレーム１２や、このフレーム１２に支持されるカバー１６、また、重り部材１８等を支持する。
【００３２】
このため、図１に示す実施の形態では、ある程度の強度を確保するため、蓋１４は、自己保形性を有する天板から形成されているのが示されており、この天板から成る蓋１４は、ヒンジ１８によりフレーム１２に揺動自在に取り付けられ、これによりフレーム１２を開閉することができる。なお、図示の実施の形態では単数のヒンジ１８が示されているが、接合強度や円滑な開閉を確保するため、複数のヒンジ１８を使用することもできる。なお、このように、蓋１４を自己保形性を有する形態とする場合には、フレーム１２と同様の材質から形成することができる。
【００３３】
但し、蓋１４は、図示の実施の形態のように、特に天板に限定されるものではない。即ち、蓋１４は、上述したように、荷物６等の被防護物に被せられた場合に、フレーム１２等を確実に支持することができれば、特に材質に限定はなく、他に、例えば、後述するカバー１６と同じ材質から形成して、カバー１６と一体的に形成され、又は、カバー１６に一体的に取付け又は縫い付けられた可撓性を有する天布とすることもできる。この場合には、蓋１４は、可撓性を有するため、特にヒンジ１８を設置しなくても、フレーム１２に対して開閉自在とすることができる。
【００３４】
カバー１６は、例えば、ポリエステル布やナイロン布等のある程度の強度と可撓性を有しつつ、風雨や埃等の外部環境から荷物６を防護することができる材質から形成する。また、このカバー１６は、可撓性を有するため、図１及び図２に示すように、折り畳むことも、また、フレーム１２から垂れ下がることもできる。このため、本発明の防護材１０は、図１（Ａ）に示すように、蓋１４を閉じた状態で被防護物の上方に配置して、カバーをフレーム１２から落下させることにより垂れ下げて被防護物を防護することができる。
【００３５】
この場合、本発明の防護材１０では、図１及び図２に示すように、このカバー１６の下端に取り付けられ、カバー１６のフレーム１２からの落下を補助する重り部材２０を更に備えている。この重り部材２０は、自重により確実に下方まで落下して、カバー１６の落下を補助することができる程度の重量を有すれば、特に材質は問わないが、フレーム１２と同じ材質、同じ形状に形成すると、製造工程を簡易化することができると共にコストを抑制することができる。
【００３６】
従ってまた、この重り部材２０も、フレーム１２と同様、図１及び図２に示すように、被防護物を外側から囲むことができる大きさを有し、被防護物を囲みながら被防護物の外側を落下することができる。なお、この重り部材２０は、カバー１６の下端において、その内部に縫合等により収納することができる。
【００３７】
また、防護材１０は、図１及び図２に示すように、蓋１４、フレーム１２、カバー１６、重り部材２０のうちの全部又は任意の組合せを、重ね合わせた状態又は連結した状態に保持することができる留め具２２を有している。この留め具２２としては、具体的には、蓋１４に固定的に取り付けられ、蓋１４、フレーム１２、可撓性を有するカバー１６、重り部材２０を重ね合わせた状態で、これらに跨って配置される面ファスナーを使用することができる。
【００３８】
従って、この留め具２２により、蓋１４等の全てを重ね合わせた状態（図４参照）に保持して、コンパクトに畳み運搬可能とすることができると共に大きなスペースを要することなく保管や収納をすることもできる。また、図１（Ｃ）（Ｄ）に示すように、蓋１４とフレーム１２を重ね合わせた状態に、あるいは、蓋１４とカバー１６の上方とを（蓋１４とカバー１６との間に存在するフレーム１２を跨いで）連結することにより、蓋１４をフレーム１２に対して閉じた状態に保持することができる。一方、図２（Ｂ）〜（Ｄ）に示すように、留め具２２による連結を全て開放することにより、蓋１４をフレーム１２に対して開けた状態とすることができる。
【００３９】
このため、この留め具２２により蓋１４等を全て重ね合わせた状態で、図１（Ａ）に示すように、防護材１０をロールボックス４の上面に載置し、図１（Ｂ）に示すように、蓋１４をフレームに対して閉じた状態としつつ、この留め具２２から重り部材２０を開放するだけで、重り部材２０がロールボックス４の外側を落下し、これに伴ってカバー１６も落下によりフレーム１２から垂れ下がる。即ち、防護材１０の載置、留め具２２の一部開放だけで、図１（Ｃ）及び（Ｄ）に示すように、防護材１０を簡易に設置することができる。なお、図１（Ｃ）及び（Ｄ）に示す、カバー１６がフレーム１２から垂れ下がった状態においては、重り部材２０が、カバー１６のめくれを抑制するため、内部の荷物６を確実に保護することができる。
【００４０】
この場合、防護材が設置される荷物６や荷物６の積み高さ、また、ロールボックス４の高さは、必ずしも一定とは限らず、場合によっては、カバー１６が長すぎて、図１（Ｃ）に示すように、地面に接してしまう場合もある。このため、本発明では、図１（Ｃ）及び（Ｄ）に示すように、このカバー１６の垂れ下がりの長さを調整することができる長さ調整部材２４を更に備えている。この長さ調整部材２４としては、具体的には、留め具２２と同様に、カバー１６に取り付けられる面ファスナーを使用することができる。この面ファスナーから成る長さ調整部材２４により、カバー１６の上下方向のうちの任意の箇所同士を連結することにより、カバー１６の垂れ長さを適切に調節することができる。これにより、荷物６やロールボックス４等の高さに柔軟に対応して、荷物６を適切に保護することができる。
【００４１】
このカバー１６の長さ調整に際しては、図１（Ｄ）に示すように、重り部材２０が空中に浮く程度の状態とすることが望ましい。これにより、図１（Ｄ）に示すように、重り部材２０に引っ張られて可撓性を有するカバー１６の外形がある程度、規定乃至は規制されるため、荷崩れを抑制して、荷物６がロールボックス４の取り出し面から落下することがない。
【００４２】
一方、図１に示す蓋１４が閉じた状態から、図２（Ａ）に示すように、この留め具２２による重ね合わせ状態乃至は連結状態を解除して、蓋１４を開けた状態とすると、図２（Ｂ）に示すように、フレーム１４が被防護物の外側を自然落下し、図２（Ｃ）に示すように、被防護物を露出させて、荷物６等の被防護物を取り出すことができる。即ち、留め具２２を開放するだけで、防護材１０を簡易に取り外すことができる。
【００４３】
この場合、図１及び図２に示すように、カバー１６の周方向に折り目２６を形成すると、防護材１０の収納や次の設置のための準備等をする際に、この折り目２６に沿ってカバー１６を簡易にか適切に折り畳むことができると同時に、大きな保管スペースを要しないので、好適である。
【００４４】
また、本発明においては、特に、図３に示すように、フレーム１２は、被防護物を搬送する搬送具（ロールボックス４やパレット２、台車５等）の車輪１が通過することができる外面を有する。具体的には、図示の実施の形態では、図３に示すように、フレーム１２の外面を凸状の曲面状に形成している。
【００４５】
従って、ロールボックス４等の車輪１が、このフレーム１２の凸状の曲面状の外面上を容易に乗り越えることでき、図２（Ｄ）に示すように、防護材１０の取り外しのためにフレーム１２を落下させた後、ロールボックス４の周囲に位置するフレーム１２の外面上を、ロールボックス４の車輪１を転回させながら通過させることにより、ロールボックス４をフレーム１２の外側へ簡易に移動させることができると共に、これにより、防護材１０を簡易に取り外すことができる。
【００４６】
この場合、この凸状の曲面の湾曲半径等は、車輪１の乗り越えに適した値に設計する。また、図示の実施の形態では、凸状の曲面としたが、車輪１が容易に乗り越えることができれば、必ずしも、これに限定される物ではなく、他に、例えば、斜度をもって地面に交差する両端面の間に凹状の曲面を形成することにより対応することもできる。また、図示のように、フレーム１２のみならず、フレーム１２にに合わせて重り部材２０も、同様の外面とすることもできる。
【００４７】
なお、本発明の防護材１０には、図４（Ａ）に示すように、持ち手２８を設置することができる。具体的には、持ち手２８をフレーム１２と一体に形成するか、又は、フレーム１２に持ち手２８を取り付けることにより、対応することができる。この持ち手２８により、設置や保管、また、袋等への収納のために、防護材１０を容易に運搬することができる
【００４８】
あるいは、図４（Ｂ）に示すように、ロールボックス４の網３や、壁面に取り付けられた部材に引っ掛けることができるフック３０を取り付けることもできる。このフック３０により、図４（Ｂ）に示すように、ロールボックス４の網３や壁等に簡易に引っ掛けて、防護材１０を保管することができる。
【００４９】
なお、図１及び図２に示す実施の形態では、ロールボックス４自体が汚れてその後に積載される荷物６が汚れないように、防護材１０をロールボックス４の外側に被せて、ロールボックス４内の荷物６を防護したが、防護材１０によりロールボックス４内の荷物６を直接覆うこともできる。この場合には、カバー１６の垂れ下げ後は、蓋１４が荷物６の上面に係合してカバー１６等を支持する。
【００５０】
また、このことから、防護材１０は、必ずしもロールボックス４のみに適用されるものではなく、他に、例えば、網３のないパレット２や、また、図５に示すように、台車５に積載される荷物６に適用することもできる。特に、これらのパレット２や台車５の場合には、防護材１０が、荷物６を風雨等から保護するのみならず、同時に荷崩れの防止にも役立ち、荷物６が、パレット２や台車５から落下するのを防止することができる。更には、本発明の防護材１０は、これらのパレット２等のように車輪１を有しない簀の子部材の上に設置された荷物６、また、地面上に直接置かれた荷物６等にも適用することができるのは勿論である。なお、特に、このように防護材１０を荷物６に直接被せる場合には、その荷崩れ防止作用を高めるため、例えば、カバー１６の側面に締め付け可能なベルトや紐等を取り付けることもできる。
【産業上の利用可能性】
【００５１】
本発明は、風雨や埃等の外部環境から防護することが必要な物品であれば、特に種類を問わず、広く、その防護に適用することができる。
【図面の簡単な説明】
【００５２】
【図１】本発明の防護材を設置する状態を示す概略斜視図である。
【図２】本発明の防護材を取り外す状態を示す概略斜視図である。
【図３】本発明に用いられるフレームの外面形状を示す拡大図である。
【図４】本発明の防護材を保管する状態を示す側面図及び正面図である。
【図５】本発明の防護材を台車に適用した状態を示す概略斜視図である。
【符号の説明】
【００５３】
１  車輪
２  パレット
３  網
４  ロールボックス
５  台車
６  荷物
１０  防護材
１２  フレーム
１４  蓋
１６  カバー
１８  ヒンジ
２０  重り部材
２２  留め具
２４  長さ調整部材
２６  折り目
２８  持ち手
３０  フック
【図１】
2005212891.tif 000003
【図２】
2005212891.tif 000004
【図３】
2005212891.tif 000005
【図４】
2005212891.tif 000006
【図５】
2005212891.tif 000007